(57)【要約】 【課題】  簡単な操作で電子辞書データの辞書情報を日付に関連させて表示することができる電子機器を提供する。【解決手段】  ユーザによって辞書が選択され、入力部１２に備えられる「本日」キーが押されると、ＣＰＵ１０１は、辞書記憶部１０４の選択された対象辞書の記憶領域を参照し、インデックスデータが記憶されているかどうかを判断する。インデックスデータが記憶されていれば、ＣＰＵ１０１が時計部１０５から現在の日付を取得し、取得した日付に対応する辞書情報の記憶領域のアドレスをインデックスデータに基づいて取得する。ＣＰＵ１０１は、該当するアドレスの辞書情報を辞書データから読み出して表示部１１に表示する。【選択図】      図３
2005202519.tif 000002
【特許請求の範囲】
【請求項１】
見出し語と、見出し語の説明文とからなる辞書情報を複数含む辞書データを記憶する辞書記憶手段と、
入力された文字列に基づいて前記辞書記憶手段に記憶されている辞書データを検索する辞書検索手段と、
前記辞書検索手段による検索結果を表示する表示手段とを有する電子機器であって、
現在の日付を出力する時計手段と、
前記辞書記憶手段に記憶されている辞書データから、時計手段が出力した現在の日付に関連する辞書情報を選択する選択手段と、
前記選択手段に対して辞書情報の選択を指示する指示手段とを有し、
前記表示手段は、選択手段が選択した辞書情報を表示することを特徴とする電子機器。
【請求項２】
日付と、辞書情報との関連性を示す関連情報を記憶する関連情報記憶手段を有し、
前記選択手段は、関連情報に基づいて辞書情報を選択することを特徴とする請求項１記載の電子機器。
【請求項３】
前記関連情報を作成する関連情報作成手段を有することを特徴とする請求項２記載の電子機器。
【請求項４】
前記関連情報作成手段は、前記辞書記憶手段に記憶されている辞書データから、日付を表す文字列を検索し、日付を表す文字列を含む辞書情報と当該日付との関連性を示す関連情報を作成することを特徴とする請求項３記載の電子機器。
【請求項５】
前記関連情報作成手段が日付を表す文字列を含む辞書情報を見つけられなかったときは、前記選択手段は、無作為に辞書情報を選択することを特徴とする請求項４記載の電子機器。
【請求項６】
前記選択手段が辞書情報を無作為に選択するとき、選択した辞書情報の履歴を作成する履歴作成手段を有することを特徴とする請求項５記載の電子機器。
【請求項７】
前記指示手段の動作が有効または無効となるように変更する変更手段を有することを特徴とする請求項１〜６のいずれか１つに記載の電子機器。
【請求項８】
前記変更手段は、時計手段が出力した現在の日付に関連する辞書情報があるときは、指示手段の動作を有効とし、時計手段が出力した現在の日付に関連する辞書情報が無いときは、指示手段の動作を無効とすることを特徴とする請求項７記載の電子機器。
【請求項９】
前記時計手段は、日付を含む時刻を出力し、
前記選択手段は、時計手段が現在の日付を出力した時刻が所定の時刻以降のときは、翌日の日付に関連する辞書情報を選択することを特徴とする請求項１〜８のいずれか１つに記載の電子機器。
【請求項１０】
前記所定の時刻は、ユーザによって変更可能に構成されることを特徴とする請求項９記載の電子機器。
【発明の詳細な説明】
【技術分野】
【０００１】
本発明は、電子辞書機能を有する電子機器に関する。
【背景技術】
【０００２】
電子辞書機能は、キーボードなどの入力手段を操作することで、ユーザによって検索したい文字列が入力されると、予め記憶されている電子辞書データ内の見出し語を検索し、入力された文字列と一致または類似した見出し語とその説明文などとからなる辞書情報を表示する機能である。
【０００３】
電子辞書データには、料理辞書、ことわざ辞書および四字熟語辞書などが電子化されたデータがある。ユーザは料理の献立、会話の話題づくり、スピーチの文章作成などにこれらの電子辞書データを利用することがあるが、辞書情報の数が非常に多いため、適当な料理、ことわざまたは四字熟語などを選択することは困難である。
【０００４】
特許文献１記載の献立表示装置は、予め記憶している日付と対応した献立情報に基づいて、制御手段が当日の献立情報を読み出し、表示手段に表示する。日付に基づいて献立情報を選択することにより、毎日の献立を考える煩わしさを解消することができる。
【０００５】
【特許文献１】特開平６−１１５８３号公報（第５頁、第２図）
【発明の開示】
【発明が解決しようとする課題】
【０００６】
電子辞書データの辞書情報は、日付と対応して記憶されていないので、特許文献１記載の献立表示装置のように、本日の辞書情報を表示させることができない。また、電子辞書データの辞書情報が日付に対応しているとしても、本日の辞書情報を表示させるためには、本日の日付を検索キーの文字列として入力しなければならず操作が面倒である。
【０００７】
本発明の目的は、簡単な操作で電子辞書データの辞書情報を日付に関連させて表示することができる電子機器を提供することである。
【課題を解決するための手段】
【０００８】
本発明は、見出し語と、見出し語の説明文とからなる辞書情報を複数含む辞書データを記憶する辞書記憶手段と、
入力された文字列に基づいて前記辞書記憶手段に記憶されている辞書データを検索する辞書検索手段と、
前記辞書検索手段による検索結果を表示する表示手段とを有する電子機器であって、
現在の日付を出力する時計手段と、
前記辞書記憶手段に記憶されている辞書データから、時計手段が出力した現在の日付に関連する辞書情報を選択する選択手段と、
ユーザが操作することで、前記選択手段に対して辞書情報の選択を指示する指示手段とを有し、
前記表示手段は、選択手段が選択した辞書情報を表示することを特徴とする電子機器である。
【０００９】
また本発明は、日付と、辞書情報との関連性を示す関連情報を記憶する関連情報記憶手段を有し、
前記選択手段は、関連情報に基づいて辞書情報を選択することを特徴とする。
また本発明は、前記関連情報を作成する関連情報作成手段を有することを特徴とする。
【００１０】
また本発明は、前記関連情報作成手段は、前記辞書記憶手段に記憶されている辞書データから、日付を表す文字列を検索し、日付を表す文字列を含む辞書情報と当該日付との関連性を示す関連情報を作成することを特徴とする。
【００１１】
また本発明は、前記関連情報作成手段が日付を表す文字列を含む辞書情報を見つけられなかったときは、前記選択手段は、無作為に辞書情報を選択することを特徴とする。
【００１２】
また本発明は、前記選択手段が辞書情報を無作為に選択するとき、選択した辞書情報の履歴を作成する履歴作成手段を有することを特徴とする。
【００１３】
また本発明は、前記指示手段の動作が有効または無効となるように変更する変更手段を有することを特徴とする。
【００１４】
また本発明は、前記変更手段は、時計手段が出力した現在の日付に関連する辞書情報があるときは、指示手段の動作を有効とし、時計手段が出力した現在の日付に関連する辞書情報が無いときは、指示手段の動作を無効とすることを特徴とする。
【００１５】
また本発明は、前記時計手段は、日付を含む時刻を出力し、
前記選択手段は、時計手段が現在の日付を出力した時刻が所定の時刻以降のときは、翌日の日付に関連する辞書情報を選択することを特徴とする。
【００１６】
また本発明は、前記所定の時刻は、ユーザによって変更可能に構成されることを特徴とする。
【発明の効果】
【００１７】
本発明によれば、辞書記憶手段に、見出し語と、見出し語の説明文とからなる辞書情報を複数含む辞書データを記憶しておき、辞書検索手段が入力された文字列に基づいて前記辞書記憶手段に記憶されている辞書データを検索すると、表示手段が検索結果を表示する。
【００１８】
ユーザが指示手段を操作することで、選択手段に対して辞書情報の選択を指示すると、選択手段は、時計手段が出力した現在の日付に関連する辞書情報を選択し、表示手段は、選択手段が選択した辞書情報を表示する。
【００１９】
ユーザが指示手段を操作する、たとえばキーを押すだけで現在の日付に関連する辞書情報が表示されるので、簡単な操作で電子辞書データの辞書情報を日付に関連させて表示することができる
また本発明によれば、日付と、辞書情報との関連性を示す関連情報を関連情報記憶手段に記憶しておき、選択手段は、この関連情報に基づいて辞書情報を選択する。
【００２０】
これにより、選択手段は、この関連情報を参照するだけで、現在の日付に関連する辞書情報を容易に選択することができる。
【００２１】
また本発明によれば、関連情報作成手段が、辞書記憶手段に記憶されている辞書データから、日付を表す文字列を検索し、日付を表す文字列を含む辞書情報と当該日付との関連性を示す関連情報を作成する。
【００２２】
関連情報が予め関連情報記憶手段に記憶されていないような場合は、選択手段は、関連情報を参照することができない。関連情報が記憶されていない場合でも、辞書データから、日付を表す文字列を検索して関連情報を作成することで、選択手段は、現在の日付に関連する辞書情報を容易に選択することができる。
【００２３】
また本発明によれば、関連情報作成手段が日付を表す文字列を含む辞書情報を見つけられなかったときは、選択手段は、無作為に辞書情報を選択する。
【００２４】
関連情報が予め関連情報記憶手段に記憶されず、日付に関する辞書情報が無いような場合でも、選択手段が辞書情報を選択することができる。
【００２５】
また本発明によれば、選択手段が辞書情報を無作為に選択するとき、履歴作成手段が選択した辞書情報の履歴を作成する。
【００２６】
選択手段が辞書情報を無作為に選択するような場合、連続して同じ辞書情報を選択してしまう可能性があるが、選択手段が作成された履歴を参照することで、連続して同じ辞書情報を選択することを防ぐことができる。
【００２７】
また本発明によれば、変更手段によって、指示手段の動作が有効または無効となるように変更される。時計手段が出力した現在の日付に関連する辞書情報があるときは、指示手段の動作を有効とし、時計手段が出力した現在の日付に関連する辞書情報が無いときは、指示手段の動作を無効とする。
【００２８】
現在の日付に関連する辞書情報が無いにもかかわらず指示手段の動作が有効であった場合、指示手段が操作されたときには辞書情報を表示できないことをユーザに報知するなどエラー処理を行う必要があるが、指示手段の動作を無効とすることでエラー処理を行う必要がなくなる。
【００２９】
また本発明によれば、選択手段は、時計手段が現在の日付を出力した時刻が所定の時刻以降のときは、翌日の日付に関連する辞書情報を選択する。
【００３０】
明日の日付に関する辞書情報を表示するほうが有用な場合などに対応することができる。
【００３１】
また本発明によれば、ユーザによって所定の時刻を変更する。これにより、ユーザの好みに応じた設定が可能となる。
【発明を実施するための最良の形態】
【００３２】
以下、図面を参照しながら本発明の好適な実施の形態について詳細に説明する。なお、以下では、電子機器の一例として電子辞書機能を有するファクシミリ装置について説明する。本発明は、ファクシミリ装置に搭載されている辞書の中から、現在の日付、すなわち「本日」に関する情報を簡単な操作で表示することを特徴としている。
【００３３】
図１は、本発明の実施の一形態であるファクシミリ装置１００の外観を示す斜視図である。
【００３４】
ファクシミリ装置１００は、前面にドットマトリクス構成の液晶表示装置（ＬＣＤ）などで実現される表示部１１と、数字、文字、指示コマンドなどを入力するための各種キーを含むキーボードなどで実現される入力部１２を備え、ユーザは、表示部（表示手段）１１に表示される操作メニューなどを見ながら入力部１２を操作して電話通話、ファクシミリ通信および辞書検索などを行う。電話通話を行うときは、側部に備えられたハンドセット１３を使用する。なお、表示部１１の表面に透明タッチパネルを積層する構成としてもよい。この場合、ユーザは透明タッチパネルと入力部１２とを操作して電話通話、ファクシミリ送信および辞書検索などを行うことができる。
【００３５】
図２は、入力部１２のキー配列を示す図である。入力部１２は、数字などの文字を入力するための数字キー１４、表示部１１に表示された各種操作画面のカーソルを移動させ、項目の選択、位置の指定などを行うためのカーソルキー１５、入力文字の確定、選択項目の確定などを行うための「決定」キー１６、辞書検索モードを起動させるための「辞書」キー１７および本日に関する辞書情報（以下では「本日情報」と略称する。）を検索、表示させるための「本日」キー１８を備え、図示していないが、辞書検索モード時に次の見出し語を検索するための次見出しキー、前の見出し語を検索するための前見出しキーなどを備えて構成される。
【００３６】
図３は、本発明の第１の実施形態であるファクシミリ装置１００の電気的構成を示すブロック図である。ファクシミリ装置１００は、ＣＰＵ（中央演算処理装置）１０１、ＲＡＭ（ランダムアクセスメモリ）１０２、ＲＯＭ（リードオンリメモリ）１０３、辞書記憶部１０４、時計部１０５、印刷部１０６、通信部１０７および、表示部１１、入力部１２、ハンドセット１３を含んで構成される。
【００３７】
ＣＰＵ１０１は、ＲＯＭ１０３に記憶している制御プログラムに基づき、ファクシミリ装置１００全体の制御を行う。ＲＯＭ１０３には、制御プログラム以外に、辞書検索を行うための検索プログラム、電話通信およびファクシミリ通信を行うための通信制御プログラムなどの各種プログラムが記憶される。ＲＡＭ１０２は、各種プログラムに基づいてファクシミリ装置１００が動作するときに必要な演算値、表示部１１に表示させる画像データなどを一時的に保存する。ＲＡＭの一部の記憶領域は、電源バックアップするか、あるいはＥＥＰＲＯＭ（electrically erasable programmable ROM）やフラッシュメモリなどの不揮発性メモリにより構成され、電話番号とその使用者とを関連付けた電話帳データなどの各種データ、辞書検索および通信制御に必要な各種設定パラメータなどを記憶する。
【００３８】
辞書記憶部１０４は、１または複数の辞書データを記憶する辞書記憶手段および関連情報記憶手段である。本実施形態では、第１〜第３辞書の３つの辞書の辞書データを記憶しており、第１辞書記憶領域１１０、第２辞書記憶領域１１１および第３辞書記憶領域１１２の３つの記憶領域を有している。図４は、各辞書の記憶領域を示す図である。図４（ａ）は第１辞書記憶領域１１０を示し、図４（ｂ）は第２辞書記憶領域１１１を示し、図４（ｃ）は第３辞書記憶領域１１２を示している。第１辞書記憶領域１１０には、辞書データ１１０ａおよびインデックスデータ１１０ｂが記憶され、第２辞書記憶領域１１１および第３辞書記憶領域１１２には、辞書データ１１１ａ，１１２ａが記憶されている。なお各辞書の辞書名を示す辞書タイトルは、辞書データ内、または各記憶領域内の所定の領域に記憶される。ここで、辞書データとは、見出し語と、その見出し語に関する説明文とからなる辞書情報が、見出し語に基づいて所定の順序、たとえばアルファベット順またはアイウエオ順などで記載されたデータである。たとえば、ことわざ辞書の辞書データであれば、見出し語であることわざと、そのことわざの意味とからなる辞書情報が、ことわざのアイウエオ順で記載されている。また、詳しくは後述するが、インデックスデータとは、日付と、その日付に関連する辞書情報の、辞書データ内における記憶位置とが記載された関連情報である。ファクシミリ装置１００は、このインデックスデータに基づいて、本日情報を表示部１１に表示する本日情報表示処理を行う。
【００３９】
時計部１０５は、日付を含む現在時刻を出力する時計手段である。印刷部１０６は、熱転写プリンタ、インクジェットプリンタなどで実現され、受信したファクシミリデータおよび表示している画像データなどを用紙に印刷する。
【００４０】
通信部１０７は、公衆電話回線との接続インターフェースとして機能し、所定のプロトコルに則って電話通話における音声信号の送受信、ファクシミリ通信における画像データの送受信などを行う。ハンドセット１３は、マイクとスピーカとを備える。マイクは、ユーザの音声を取り込み、音声信号として通信部１０７に出力する。スピーカは、通信部１０７から入力された音声信号を音声として外部に出力する。
【００４１】
辞書検索手段、選択手段、関連情報作成手段、履歴作成手段および変更手段は、ＣＰＵ１０１、ＲＡＭ１０２およびＲＯＭ１０３で構成され、ＲＯＭ１０３に記憶されている各プログラムに基づいてＣＰＵ１０１が処理を行うことで実現される。
【００４２】
本日情報を表示部１１に表示させるまでのユーザの操作手順について説明する。
（１）辞書モード起動
まず、ユーザは、「辞書」キー１７を押すことで、辞書モードを起動させる。
辞書モードとは、ＲＯＭ１０３に記憶されている検索プログラムに基づいて、ユーザによって入力された文字列を検索キーとして辞書データの見出し語を検索する辞書検索処理を行うことができるファクシミリ装置１００の動作モードである。ファクシミリ装置１００の他の動作モードとしては、電話通話を行う電話モード、ファクシミリ通信を行うファクシミリモード、各種設定パラメータの入力変更を行う設定モードなどがある。
【００４３】
（２）対象辞書選択
次に、ユーザは本日情報を表示させる対象の辞書を選択する。
本実施形態では、辞書記憶部１０４に３つの辞書データが記憶されているので、３つの辞書のいずれかを選択する。具体的には、辞書記憶部１０４に記憶されている３つの辞書の辞書タイトルを表示部１１に表示し、ユーザがカーソルキー１５を操作することで、いずれか１つの辞書タイトルを選択し、決定キー１６が押されると対象辞書が選択される。
【００４４】
（３）「本日」キー押下
最後に、対象辞書が選択された状態で、ユーザは「本日」キー１８を押す。
手順（２）で対象辞書が選択されると、検索キーとなる文字列の入力が可能となり、通常の辞書検索を行いたい場合は、検索キーを入力し、対象辞書の検索を行う。検索キーが入力されずに「本日」キー１８が押されると、選択された対象辞書のインデックスデータに基づいて、本日情報が表示部１１に表示される。
【００４５】
図５は、インデックスデータ１１０ｂの例を示す図である。図５では説明をわかりやすくするために、辞書データ１１０ａと、対応する日付とを並べて示している。第１辞書は、たとえば「四季の料理」という料理の辞書で、毎日の日付に関連する料理について説明が記載されている。具体的には、辞書タイトルが「四季の料理」、辞書データ１１０ａには、見出し語である料理の名前と、その料理の説明文とからなる辞書情報が、１月１日から日付順に記載されている。図５では、１月１日の日付に関連する辞書情報として「おせち料理」と、おせち料理の説明文「おせち料理は、１月１日に．．．」とが記載されている。インデックスデータ１１０ｂには、辞書データ１１０ａの先頭を基準として、各辞書情報が記憶されている記憶領域の相対アドレスが記載されている。第１辞書は、インデックスデータが記憶されている辞書、すなわち日付に関連した辞書情報が記載されている辞書である。したがって、辞書記憶部１０４の記憶領域に記憶されているインデックスデータは、日付順に記載されていることになる。具体的には、インデックスデータ１１０ｂの最初の相対アドレス「００１００」は、１月１日の辞書情報を示す相対アドレスであり、２番目の相対アドレス「００１４５」は、１月２日の辞書情報を示す相対アドレスであり、３６５番目の相対アドレス「１４７０２」は１２月３１日の辞書情報を示す相対アドレスである。
【００４６】
手順（３）で「本日」キー１８がユーザによって押されると、ＣＰＵ１０１は時計部１０５から出力される現在の日付を取得し、１月１日を基準に経過日数を算出し、算出した経過日数の数値Ｄに基づいて、インデックスデータ１１０ｂのＤ番目の相対アドレスを取得する。辞書データ１１０ａの先頭の絶対アドレスに、取得した相対アドレスを加えたアドレスが示す記憶領域に記憶されている辞書情報を選択して読み出すことで、本日に関する辞書情報を表示部１１に表示することができる。
【００４７】
図６は、本日情報の表示画面２０の一例を示す図である。図６（ａ）は、「本日」キー１８が押され、辞書情報が本日情報として表示された表示画面２０を示し、図６（ｂ）は通常の辞書検索処理によって表示された表示画面３０を示している。図６（ａ）と図６（ｂ）とを比較するとわかるように、本日情報として辞書情報を表示する場合は、表示画面３０の日付３１に比べて、日付２１を強調するように表示する。日付２１を強調して表示する具体的な例としては、文字の大きさを大きくする、文字をボールドまたはイタリック体にする、日付２１の書体を辞書情報２２，３２または日付３１の書体と異なるものにする(たとえば、日付２１の書体を明朝、辞書情報２２，３２、日付３１の書体をゴシックとする。)、日付２１を枠で囲んで表示する、日付２１の前後に目立つ記号(たとえば「＊」など)を表示する、日付２１の表示文字の色を辞書情報２２，３２または日付３１の表示文字の色と異なるものにするなどがある（たとえば、日付２１の表示文字の色を赤色、辞書情報２２，３２、日付３１の表示文字の色を黒色とする。）。
【００４８】
図７は、ファクシミリ装置１００による本日情報表示処理を示すフローチャートである。
【００４９】
上記の手順（１）で辞書モードが起動され、対象辞書が選択可能な状態になると、本処理を開始する。
【００５０】
ＣＰＵ１０１は、入力部１２からのキー入力信号を監視しており、ステップＳ１では、決定キー１６が押され、対象辞書が選択されたかどうかを判断する。対象辞書が選択されればステップＳ２に進み、選択されなければキー入力信号の監視を継続する。
【００５１】
ステップＳ２では、ＣＰＵ１０１が、入力部１２からのキー入力信号を監視しており、「本日」キー１８が押されたかどうかを判断する。「本日」キー１８が押されれば、ステップＳ３に進み、押されなければステップＳ４に進む。
【００５２】
ステップＳ４では、ＣＰＵ１０１は、入力部１２からのキー入力信号を監視しており、数字キー１４が押され、検索キーとなる文字列が入力されたかどうかを判断する。文字列が入力されれば、ステップＳ５で通常の辞書検索処理を行い、されなければステップＳ２に戻り、キー入力信号の監視を継続する。
【００５３】
ステップＳ３では、ＣＰＵ１０１は、辞書記憶部１０４の選択された対象辞書の記憶領域を参照し、インデックスデータが記憶されているかどうかを判断する。インデックスデータが記憶されていなければステップＳ６に進み、記憶されていればステップＳ７に進む。本実施形態では、対象辞書として第１辞書が選択された場合、ＣＰＵ１０１は、第１辞書記憶領域１１０を参照し、インデックスデータ１１０ｂが記憶されているので、ステップＳ７の処理を行う。第２および第３辞書が選択された場合、ＣＰＵ１０１は、第２および第３辞書記憶領域１１１，１１２を参照し、インデックスデータが記憶されていないので、ステップＳ６の処理を行う。
【００５４】
ステップＳ６では、本日情報を表示できない（エラーである）ことをユーザに報知する。たとえば、表示部１１に表示できないことを文字で表示するとともに、スピーカからエラー音、または音声を出力する。ステップＳ７では、ＣＰＵ１０１が時計部１０５から現在の日付を取得する。ステップＳ８では、インデックスデータを参照し、取得した日付に対応する相対アドレスを取得する。ステップＳ９では、取得した相対アドレスと、選択された対象辞書の絶対アドレスとから、該当するアドレスの辞書情報を辞書データから読み出して表示部１１に表示する。
【００５５】
以上のように、ユーザが「本日」キー１８を押すだけで、本日情報が表示されるので、簡単な操作で電子辞書データの辞書情報を日付に関連させて表示することができる。
【００５６】
なお、本実施形態では、ファクシミリ装置本体に着脱可能なカード型半導体メモリ（メモリカード）を、外部記憶手段として備えてもよい。カード型半導体メモリは、辞書記憶部１０４と同様の機能を持つカード内辞書記憶部を有しており、１または複数の辞書を記憶している。したがって、カード型半導体メモリが装着されているときは、ＣＰＵ１０１は、辞書記憶部１０４を対象とする処理を行う場合、カード内辞書記憶部も対象として同様の処理を行う。このように、カード型半導体メモリを用いることで、簡単に辞書データなどを追加することができ、使い勝手が向上する。
【００５７】
図８は、本発明の第２の実施形態であるファクシミリ装置２００の電気的構成を示すブロック図である。ファクシミリ装置２００の構成は、図３に示した第１の実施形態であるファクシミリ装置１００と類似した構成であり、作成インデックス記憶部１０８を備えることが異なっている。なお、ファクシミリ装置１００の各部位と同様の動作を行う部位については同じ符号を付しており、詳細な説明は省略する。
【００５８】
本実施形態では、第１の実施形態と同様に、インデックスデータが辞書記憶部１０４に記憶されている辞書については、インデックスデータに基づいて本日情報を表示するとともに、インデックスデータが記憶されていない辞書についても本日情報を表示可能とするために、インデックスデータを作成し、関連情報記憶手段である作成インデックス記憶部１０８に記憶する。
【００５９】
本実施形態における辞書記憶部１０４に記憶されている各辞書は、第１の実施形態における各辞書と同じである。すなわち、第１辞書記憶領域１１０には、辞書データ１１０ａおよびインデックスデータ１１０ｂが記憶され、第２辞書記憶領域１１１および第３辞書記憶領域１１２には、辞書データ１１１ａ，１１２ａが記憶されている。また、本日情報を表示させるためのユーザの手順についても、第１の実施形態と同様である。第１の実施形態と異なっているのは、手順（２）で対象辞書が選択されたときに選択された辞書のインデックスデータが記憶されているかどうかをＣＰＵ１０１が判断し、記憶されていない場合には、辞書データを検索し、インデックスデータを作成することが可能な構成としたことである。
【００６０】
図９は、作成インデックス記憶部１０８を示す図である。第２辞書についてインデックスデータを作成する場合について説明する。手順（２）で対象辞書として第２辞書が選択されたときに、辞書記憶部１０４の第２辞書記憶領域１１１を参照すると、インデックスデータが記憶されていないので、ＣＰＵ１０１は、辞書データ１１１ａに基づいて第２辞書インデックスデータ１０８ａを作成し、作成インデックス記憶部１０８に記憶する。
【００６１】
図１０は、第２辞書インデックスデータ１０８ａの例を示す図である。図１０では作成手順を説明するために、辞書データ１１１ａを並べて示している。第２辞書は、たとえば「世界の料理」という料理の辞書で、和食、洋食など世界の料理について説明が記載されている。具体的には、辞書タイトルが「世界の料理」、辞書データ１１１ａには、見出し語である料理の名前と、その料理の説明文とからなる辞書情報が、和食、洋食および国別などに分類されて記載されている。
【００６２】
インデックスデータを作成するには、辞書データに記載された辞書情報に日付に相当する文字列（以下では「日付文字列」と略称する。）が含まれているかどうかを検索し、日付文字列を含む辞書情報が見つかると、日付と、辞書情報の相対アドレスとを作成インデックス記憶部１０８の第２辞書インデックスデータ１０８ａの記憶領域に記憶する。図１０では、たとえば辞書データ１１１ａには、「５月５日」という日付文字列４０が、見出し語が「ちまき」である辞書情報に含まれており、ＣＰＵ１０１は、日付「５月５日」を示す「５／５」と、見出し語が「ちまき」である辞書情報の相対アドレス「０６２００」とを第２辞書インデックスデータ１０８ａの記憶領域に記憶する。さらに、「１月１日」という日付文字列４１が、見出し語が「おせち」である辞書情報に含まれており、ＣＰＵ１０１は、日付「１月１日」を示す「１／１」と、見出し語が「おせち」である辞書情報の相対アドレス「００１００」とを第２辞書インデックスデータ１０８ａの記憶領域に記憶する。なお、第２辞書インデックスデータ１０８ａは日付順に記載する。
【００６３】
１つの辞書データにおいて、見つかった全ての日付と、辞書情報の相対アドレスとを作成インデックス記憶部１０８に記憶することで、インデックスデータを作成することができる。なお、日付文字列の検索は、文字列「１月１日」のような（数値）「月」（数値）「日」という書式だけではなく、「１／１」のような（数値）「／」（数値）という書式、「１．２」のような（数値）「．」（数値）という書式、「１st Jan」のような（序数）（英語表記の月名）という書式、「毎月２日」のような「毎月」（数値）「日」という書式、「奇数月２日」のような「奇数月」または「偶数月」（数値）「日」という書式など種々の書式で検索可能なように構成する。
【００６４】
図１１は、ファクシミリ装置２００による本日情報表示処理を示すフローチャートである。
【００６５】
上記の手順（１）で辞書モードが起動され、対象辞書が選択可能な状態になると、本処理を開始する。
【００６６】
ＣＰＵ１０１は、入力部１２からのキー入力信号を監視しており、ステップＳ１１では、決定キー１６が押され、対象辞書が選択されたかどうかを判断する。対象辞書が選択されればステップＳ２に進み、選択されなければキー入力信号の監視を継続する。
【００６７】
ステップＳ１２では、ＣＰＵ１０１は、辞書記憶部１０４の選択された対象辞書の記憶領域および作成インデックス記憶部１０８を参照し、選択された対象辞書のインデックスデータが記憶されているかどうかを判断する。インデックスデータが記憶されていなければステップＳ１３に進み、記憶されていればステップＳ１４に進む。
【００６８】
ステップＳ１３では、選択された対象辞書のインデックスデータを作成する。ステップＳ１４では、ＣＰＵ１０１が、入力部１２からのキー入力信号を監視しており、「本日」キー１８が押されたかどうかを判断する。「本日」キー１８が押されれば、ステップＳ１５に進み、押されなければステップＳ１６に進む。
【００６９】
ステップＳ１６では、ＣＰＵ１０１は、入力部１２からのキー入力信号を監視しており、数字キー１４が押され、検索キーとなる文字列が入力されたかどうかを判断する。文字列が入力されれば、ステップＳ１７で通常の辞書検索処理を行い、されなければステップＳ１４に戻り、キー入力信号の監視を継続する。
【００７０】
ステップＳ１５では、ＣＰＵ１０１が時計部１０５から現在の日付を取得する。ステップＳ１８では、インデックスデータを参照し、現在の日付がインデックスデータに記載されているかどうかを判断する。記載されていればステップＳ１９に進み、記載されていなければステップＳ２０に進む。ステップＳ１９では、取得した日付に対応する相対アドレスを取得し、取得した相対アドレスと、選択された対象辞書の絶対アドレスとから、該当するアドレスの辞書情報を辞書データから読み出して表示部１１に表示する。ステップＳ２０では、本日情報を表示できない（エラーである）ことをユーザに報知する。たとえば、表示部１１に表示できないことを文字で表示するとともに、ファクシミリ装置が備える外部スピーカからエラー音、または音声などを出力する。
【００７１】
図１２は、図１１のステップＳ１３のインデックスデータ作成処理を示すフローチャートである。図１１のステップＳ１２で、選択された対象辞書のインデックスデータが記憶されていなければ本処理を開始する。
【００７２】
ステップＳ２１では、インデックスデータの初期化を行う。インデックスデータの初期化とは、作成インデックス記憶部１０８にインデックスデータの記憶領域を確保して領域内のデータをクリアする処理である。ステップＳ２２では、選択された対象辞書の辞書データを検索するためにポインタの初期化を行う。ポインタの初期化とは、検索位置を示すポインタを辞書データの先頭位置に設定する処理である。
【００７３】
ステップＳ２３では、ポインタが位置している辞書情報を検索する。ステップＳ２４では、辞書情報に日付文字列が含まれているかどうかを判断する。含まれていればステップＳ２５に進み、含まれていなければステップＳ２７に進む。ステップＳ２５では、日付と、辞書情報の相対アドレスとをインデックスデータの記憶領域に書き込み、ステップＳ２６で日付順に並び替えを行って、インデックスデータを更新する。
【００７４】
ステップＳ２７では、ポインタを次の辞書情報の位置に設定して更新する。ステップＳ２８では、辞書データの辞書情報について全て検索したかどうかを判断する。ポインタが辞書データの最後の辞書情報に位置していれば、全ての検索が終了しているので処理を終了する。ポインタが最後の辞書情報に位置していなければ、検索していない辞書情報があるのでステップＳ２３に進み、ステップＳ２３〜ステップＳ２７の処理を繰り返す。
【００７５】
以上のように、予めインデックスデータが記憶されていない辞書が選択された場合でも、インデックスデータを作成することにより本日情報を表示することができる。
【００７６】
なお、本実施形態では、ファクシミリ装置本体に着脱可能なカード型半導体メモリ（メモリカード）を、外部記憶手段として備えてもよい。カード型半導体メモリは、辞書記憶部１０４と同様の機能を持つカード内辞書記憶部のみを有していてもよいし、さらに作成インデックス記憶部１０８と同様の機能を持つカード内作成インデックス記憶部を有していてもよく、１または複数の辞書を記憶している。したがって、カード型半導体メモリが装着されているときは、ＣＰＵ１０１は、辞書記憶部１０４および作成インデックス記憶部１０８を対象とする処理を行う場合、カード内辞書記憶部およびカード内作成インデックス記憶部も対象として同様の処理を行う。このように、カード型半導体メモリを用いることで、簡単に辞書データなどを追加することができ、使い勝手が向上する。
【００７７】
図１３は、本発明の第３の実施形態であるファクシミリ装置３００の電気的構成を示すブロック図である。ファクシミリ装置３００の構成は、図８に示した第２の実施形態であるファクシミリ装置２００と類似した構成であり、選択テーブル記憶部１０９を備えることが異なっている。なお、ファクシミリ装置１００，２００の各部位と同様の動作を行う部位については同じ符号を付しており、詳細な説明は省略する。
【００７８】
インデックスデータが辞書記憶部１０４に記憶されていない辞書について、インデックスデータを作成する際に、辞書データに日付文字列が全く含まれていなかった場合、インデックスデータを作成することができない。本実施形態では、第１の実施形態と同様に、インデックスデータが辞書記憶部１０４に記憶されている辞書については、インデックスデータに基づいて本日情報を表示し、第２の実施形態と同様に、インデックスデータが記憶されていない辞書についてはインデックスデータを作成して本日情報を表示するとともに、インデックスデータが作成できないような場合でも本日情報を表示可能とするために、インデックスデータを作成することができない辞書データの辞書情報を無作為に選択し、本日情報として表示する。
【００７９】
本実施形態における辞書記憶部１０４に記憶されている各辞書は、第１および第２の実施形態における各辞書と同じである。すなわち、第１辞書記憶領域１１０には、辞書データ１１０ａおよびインデックスデータ１１０ｂが記憶され、第２辞書記憶領域１１１および第３辞書記憶領域１１２には、辞書データ１１１ａ，１１２ａが記憶されている。また、本日情報を表示させるためのユーザの手順についても、第１の実施形態と同様である。
【００８０】
図１４は、選択テーブル記憶部１０９を示す図である。第３辞書についてインデックスデータを作成することができないと想定し、辞書データ１１２ａの辞書情報から無作為に選択して表示する場合について説明する。複数の辞書情報から無作為に１つの辞書情報を選択し、表示する場合、連続して同じ辞書情報を表示する可能性がある。これを防止するために、以前選択して表示した辞書情報の選択履歴を選択テーブルとして記憶しておく。本実施形態では、第３辞書についての選択テーブルである第３辞書選択テーブル１０９ａを作成し、選択テーブル記憶部１０９に記憶する。
【００８１】
図１５は、第３辞書選択テーブル１０９ａの例を示す図である。第３辞書は、たとえば辞書タイトルが「四字熟語辞書」という辞書で、辞書データ１１２ａには、見出し語である四字熟語と、その四字熟語の意味とからなる辞書情報が、熟語の読みのアイウエオ順に記載されている。第３辞書選択テーブル１０９ａには、各辞書情報に割り当てられた選択番号５１、各辞書情報が記憶されている領域の相対アドレス５２、辞書情報を選択した日付である選択日５３とが記載される。
【００８２】
表示する辞書情報の選択を行う選択処理は、手順（２）で対象辞書の選択が行われ、インデックスデータ作成処理の終了時に、辞書データに含まれる日付文字列の数が、閾値以下であった場合に行う。閾値を０に設定すると、辞書データに日付文字列が全く含まれなかった場合に選択処理行うことになる。たとえば、図１２のステップＳ２８で検索終了と判断された後、辞書データに含まれる日付文字列の個数と、閾値との比較を行い、閾値以下であれば選択テーブルを作成する。具体的には、ＣＰＵ１０１が、辞書データの各辞書情報の相対アドレスを抽出し、順に選択番号を割り当てて選択テーブル記憶部１０９に記憶する。作成時点では、辞書情報が選択されていないので、選択日には何も記載されていない。
【００８３】
手順（３）で「本日」キー１８が押されると、ＣＰＵ１０１は、時計部１０５から現在の日付を取得し、選択番号の最大値を最大値とする範囲内で乱数を発生させ、発生した数値と同じ選択番号の相対アドレスを読み出す。相対アドレスを読み出すとともに、現在の日付を選択日として選択テーブルに記載する。図１５では、選択番号４１を１〜１０まで、すなわち辞書データ１１２ａには１０の辞書情報が記載されているものとする。図１５（ａ）は、第３辞書選択テーブル１０９ａが作成され、１月１日に乱数発生により選択番号として４が選択された状態を示している。次の日（１月２日）にも第３辞書が選択された場合、前日に選択番号が４の辞書情報が選択されたことが履歴として記憶されているので、選択番号が４以外の辞書情報を選択することができる。乱数発生後に、発生した数値と同じ番号の相対アドレスを読み出す前に、選択日５３を確認し、日付が記載されていなければ、相対アドレスを読み出し、現在の日付を選択日として選択テーブルに記載する。１月２日に乱数発生により選択番号が９の辞書情報が選択され（図１５（ｂ）参照）、１月３日に選択番号が２、１月４日に選択番号が６、１月５日に選択番号が１０、１月６日に選択番号が７の辞書情報がそれぞれ選択されたとする（図１５（ｃ）参照）。たとえば、１月７日に乱数発生により発生した数値が２となった場合、選択番号が２の辞書情報は、選択日５３の記載から１月３日に選択されているので、選択番号が２の辞書情報を選択することはできない。このような場合、選択日５３に日付が記載されておらず、発生した数値に最も近い選択番号を選択する。図１５（ｃ）のような場合、選択日５３に日付が記載されておらず、発生した数値２に最も近い選択番号は１か３のいずれかである。同じ条件の選択番号が２つある場合は、小さい番号または大きい番号のいずれを選択するかを予め決めておけばよい。ここでは、同じ条件の選択番号が２つある場合に、大きい番号を選択するとしておくと、選択番号として３を選択する（図１５（ｄ）参照）。
【００８４】
さらに、図１５（ｄ）に示すように、選択日５３に多くの日付が記載されようになると、乱数発生した数値の選択番号の辞書情報がすでに選択されている場合が多くなるため、選択されていない辞書情報の割合が所定の割合以下となったときに、選択日５３の記載を一部クリアする。全てをクリアしてしまうと連続して同じ辞書情報が選択される可能性があるので、所定の日数分の日付を残してクリアする。たとえば、所定の割合を３０％、所定の日数を３日分とした場合、図１５（ｄ）に示した状態で、選択されていない辞書情報の割合が３０％となるので、選択日４３の記載を最も新しい日付から３日分を残してクリアする（図１５（ｅ）参照）。なお、上記の所定の割合および所定の日数は、設定モードを起動させることで、ユーザが数値を入力して設定することができる。
【００８５】
以上のように、辞書データに日付文字列が含まれておらず、インデックスデータの作成ができない場合であっても、本日情報を表示することができる。さらに、表示した辞書情報の履歴を選択テーブルとして作成することにより、本日情報として連続して同じ辞書情報が表示されることを防止することができる。
【００８６】
上記の第１および第２の実施形態において、ユーザが「本日」キー１８を押しても、表示させる本日情報が無い場合は、エラーメッセージの表示、エラー音の出力を行うとしたが、「本日」キーをタッチパネルまたはソフトキーで実現した場合、表示させる本日情報が無ければ、「本日」キーを無効とすることもできる。ソフトキーとは、キーボードの数字キーなどのように、各キーへの文字またはコマンドなどの機能の割り当てが固定されているキーとは異なり、所定のソフトウェアプログラムにより、キーへの機能の割り当てを変更することができるキーである。
【００８７】
図１６は、「本日」キーをソフトキーで実現した場合の例を示す図である。表示部１１の近傍に、汎用キー６１，６２，６３を備え、表示部１１の汎用キーに最も近い領域に、各汎用キーとの対応が明確となるように機能表示領域７１，７２，７３を設ける。汎用キー６１が現在割り当てられている機能を機能表示領域７１に表示し、汎用キー６２が現在割り当てられている機能を機能表示領域７２に表示し、汎用キー６３が現在割り当てられている機能を機能表示領域７３に表示する。ここでは、汎用キー６１に「本日」キー１８と同様の機能が割り当てられているとし、機能表示領域７１に「本日」の文字を表示する。
【００８８】
第１の実施形態において、手順（２）で選択された対象辞書のインデックスデータが記憶されていない場合、第２の実施形態において、手順（２）で選択された対象辞書のインデックスデータを作成したが、作成したインデックスデータの日付に、本日の日付が無い場合、機能表示領域７１に「本日」の文字を表示させない、または図１６（ｂ）に示すように「本日」の文字をグレー表示して、ユーザに「本日」キーが無効である、すなわち選択した対象辞書には本日情報が存在しないことを報知する。また、表示させる本日情報が無い場合は、ユーザが汎用キー６１を押しても、何ら処理を行わないように構成する。
【００８９】
また、汎用キーの代わりにタッチパネルを備える場合、たとえば図１６の機能表示領域に対応するタッチパネルの領域がタッチされた場合に、表示されている機能を実現できるように構成する。「本日」キーを無効とするとする場合は、ソフトキーの場合と同様に、機能表示領域に「本日」の文字を表示させない、または「本日」の文字をグレー表示して、本日情報が存在しないことを報知するとともに、タッチパネルの該当領域がタッチされても処理を行わないように構成する。ユーザは、このような表示の変更を見ることで、「本日」キーを押さなくても本日情報が表示されないことを確認することができる。またキーが押されても処理が行われないので、エラー処理を行う必要がなくなる。
【００９０】
上記の各実施形態において、ユーザが選択する辞書または本日情報を表示させようとする時間帯などによっては、本日ではなく明日の日付に関する辞書情報を表示するほうが有用な場合がある。たとえば、ユーザが、料理の献立の参考とするべく第１および第２辞書のような料理に関する辞書を選択した場合、特に夕食後の遅い時刻になって本日の料理を表示するより、明日の献立の参考とするために明日の日付に関する辞書情報を表示するほうが有用である。また、ユーザが、明日行うスピーチの参考とするべく第３辞書のように四字熟語辞書を選択した場合、明日の日付に関する辞書情報を表示するほうが有用である。したがって、「本日」キーが押されたときに時計部１０５より取得した時刻が所定の時刻以降であった場合は、インデックスデータを参照し、現在の日付の翌日の日付に対応する相対アドレスを読み出し、辞書情報を表示部１１に表示する検索切換処理を行う。所定の時刻（以下では「切換時刻」と呼ぶ。）は、ユーザが入力して任意に設定することができる構成としてもよい。切換時刻は、ＲＡＭ１０２の所定の記憶領域に記憶しておく。ユーザが切換時刻を変更したい場合は、設定モードを起動させ、たとえばメニューから切換時刻の変更を選択し、所望の切換時刻を入力する。ユーザによって新たな切換時刻が入力されると、ＲＡＭ１０２の所定の記憶領域に記憶されている切換時刻を新たに入力された切換時刻に書き換える。
【００９１】
図１７は、切換時刻の設定画面８０の表示例を示す図である。設定モード起動時に、メニューから切換時刻の変更を選択すると設定画面８０が表示される。設定画面８０には、翌日検索スタート時間（切換時刻）が２４時間表記で表示され、カーソル８１が重ねて表示される。ユーザは、カーソルキー１５の左キーまたは右キーを押して、カーソル８１を所望の位置に移動させる。カーソル８１は、時を表す値の十の位および一の位、ならびに分を表す十の位および一の位に移動可能で、カーソル８１が表示されている状態で数字キー１４を押すとカーソル位置の数字が押された数字キーの数字に変更されて表示される。カーソル８１の移動と、数字の入力によって所望の時刻を入力すると、ユーザは、カーソルキー１５の下キーを押し、カーソル８１を「決定」に移動して決定キー１６を押す。これにより、新たな切換時刻が確定され、ＲＡＭ１０２に記憶されている切換時刻が書き換えられる。
【００９２】
さらに、ソフトキーまたはタッチパネルにより「本日」キーを実現し、検索切換処理を行う場合は、図１８に示すように切換時刻以降の機能表示領域７１の表示を「本日」から「明日」に変更するように構成してもよい。ユーザは、この表示を見ることで、汎用キー６１を押したときに、本日の辞書情報ではなく明日の辞書情報が表示されることを確認することができる。
【００９３】
なお、ユーザが、検索切換処理を行いたくない場合は、検索切換処理を行わないように設定することも可能である。この場合、ＲＡＭ１０２の所定の領域に検索切換処理のフラグを記憶する。たとえば検索切換処理を行う場合はフラグに１を記憶し、行わないときは０を記憶する。ＣＰＵ１０１は、図７のステップＳ７などで現在の日付を取得した後、検索切換処理のフラグを参照し、フラグが１である場合は、ＲＡＭ１０２に記憶されている切換時刻と現在の時刻との比較を行う。フラグが０である場合は、切換時刻と現在の時刻との比較は行わずにステップＳ８の処理行う。また、フラグの変更は、図１７に示した設定画面８０に対する操作で行うことができる。ユーザは、カーソルキー１５を押し、カーソル８１を「解除」に移動して決定キー１６を押すと、検索切換処理を行わないとしてフラグに０が記憶される。検索切換処理を行うときは、所望の時刻を入力し、表示した状態でカーソル８１を「決定」に移動して決定キー１６を押すと、フラグに１が記憶される。
【００９４】
なお、本実施形態では、ファクシミリ装置本体に着脱可能なカード型半導体メモリ（メモリカード）を、外部記憶手段として備えてもよい。カード型半導体メモリは、辞書記憶部１０４と同様の機能を持つカード内辞書記憶部のみを有していてもよいし、カード内辞書記憶部と、作成インデックス記憶部１０８と同様の機能を持つカード内作成インデックス記憶部とを有していてもよいし、さらに選択記憶部１０９と同様の機能を持つカード内選択テーブル記憶部を有していてもよく、１または複数の辞書を記憶している。したがって、カード型半導体メモリが装着されているときは、ＣＰＵ１０１は、辞書記憶部１０４、作成インデックス記憶部１０８および選択テーブル記憶部１０９を対象とする処理を行う場合、カード内辞書記憶部、カード内作成インデックス記憶部およびカード内選択テーブル記憶部も対象として同様の処理を行う。このように、カード型半導体メモリを用いることで、簡単に辞書データなどを追加することができ、使い勝手が向上する。
【図面の簡単な説明】
【００９５】
【図１】本発明の実施の一形態であるファクシミリ装置１００の外観を示す斜視図である。
【図２】入力部１２のキー配列を示す図である。
【図３】本発明の第１の実施形態であるファクシミリ装置１００の電気的構成を示すブロック図である。
【図４】各辞書の記憶領域を示す図である。
【図５】インデックスデータ１１０ｂの例を示す図である。
【図６】本日情報の表示画面２０の一例を示す図である。
【図７】ファクシミリ装置１００による本日情報表示処理を示すフローチャートである。
【図８】本発明の第２の実施形態であるファクシミリ装置２００の電気的構成を示すブロック図である。
【図９】作成インデックス記憶部１０８を示す図である。
【図１０】第２辞書インデックスデータ１０８ａの例を示す図である。
【図１１】ファクシミリ装置２００による本日情報表示処理を示すフローチャートである。
【図１２】図１１のステップＳ１３のインデックスデータ作成処理を示すフローチャートである。
【図１３】本発明の第３の実施形態であるファクシミリ装置３００の電気的構成を示すブロック図である。
【図１４】選択テーブル記憶部１０９を示す図である。
【図１５】第３辞書選択テーブル１０９ａの例を示す図である。
【図１６】「本日」キーをソフトキーで実現した場合の例を示す図である。
【図１７】切換時刻の設定画面８０の表示例を示す図である。
【図１８】機能表示領域の表示を「明日」に変更した場合の例を示す図である。
【符号の説明】
【００９６】
１１  表示部
１２  入力部
１３  ハンドセット
１４  数字キー
１５  カーソルキー
１６  「決定」キー
１７  「辞書」キー
１８  「本日」キー
６１，６２，６３  汎用キー
７１，７２，７３  機能表示領域
１００，２００，３００  ファクシミリ装置
１０１  ＣＰＵ（中央演算処理装置）
１０２  ＲＡＭ（ランダムアクセスメモリ）
１０３  ＲＯＭ（リードオンリメモリ）
１０４  辞書記憶部
１０５  時計部
１０６  印刷部
１０７  通信部
１０８  作成インデックス記憶部
１０８ａ  第２辞書インデックスデータ
１０９  選択テーブル記憶部
１０９ａ  第３辞書選択テーブル
１１０  第１辞書記憶領域
１１０ａ，１１１ａ，１１２ａ  辞書データ
１１０ｂ  インデックスデータ
１１１  第２辞書記憶領域
１１２  第３辞書記憶領域
【図１】
2005202519.tif 000003
【図２】
2005202519.tif 000004
【図３】
2005202519.tif 000005
【図４】
2005202519.tif 000006
【図５】
2005202519.tif 000007
【図６】
2005202519.tif 000008
【図７】
2005202519.tif 000009
【図８】
2005202519.tif 000010
【図９】
2005202519.tif 000011
【図１０】
2005202519.tif 000012
【図１１】
2005202519.tif 000013
【図１２】
2005202519.tif 000014
【図１３】
2005202519.tif 000015
【図１４】
2005202519.tif 000016
【図１５】
2005202519.tif 000017
【図１６】
2005202519.tif 000018
【図１７】
2005202519.tif 000019
【図１８】
2005202519.tif 000020